(57)【要約】【課題】イオンを放出するために放電する際に発生する音を使用者に聞こえ難くして、使用者が不快感を覚えることを抑制することが可能な空調機を提供する。【解決手段】空調機１は、吸込口５と吹出口６とが設けられた筐体２ａを有する送風部２と、送風部２内に設けられて吸込口５と吹出口６とを連結する空気通路１４と、空気通路１４内に設けられて吸込口５から吹出口６に向かって空気を流通させる送風ファン８と、空気通路１４に隣接させて設けられて空気通路１４内の送風ファン８に対して空気流通方向上流側の空気中に放電によりイオンを放出するイオン発生装置７と、を備える。これにより、イオンを放出するために放電する際に発生する音は開口が比較的小さくなった送風ファン８の箇所を通過して吹出口６に至るので、その音の大きさが小さくなる。【選択図】図３
2013037835.tif 000002
【特許請求の範囲】
【請求項１】
吸込口と吹出口とが設けられた筐体を有する送風部と、
前記送風部内に設けられて前記吸込口と前記吹出口とを連結する空気通路と、
前記空気通路内に設けられて前記吸込口から前記吹出口に向かって空気を流通させる送風ファンと、
前記空気通路に隣接させて設けられて前記空気通路内の前記送風ファンに対して空気流通方向上流側の空気中に放電によりイオンを放出するイオン発生装置と、
を備えることを特徴とする空調機。
【請求項２】
前記送風部が一端に設けられたアーム部と、
前記アーム部の他端に設けられて前記送風部及び前記アーム部を起立状態にして支持する支持部と、
を備えることを特徴とする請求項１に記載の空調機。
【請求項３】
前記アーム部の前記支持部側の一端と前記支持部との接続及び接続解除を可能にするための接続部を備えるとともに、
前記支持部として、空調機を設置面上に置いて支持するための平面支持部と、板状部材を挟持することにより前記板状部材に空調機を固定して支持するための締付け支持部とのいずれか一方が選択されて前記接続部を介して前記アーム部の前記支持部側の一端と接続されることを特徴とする請求項１または請求項２に記載の空調機。
【請求項４】
前記送風ファン及び前記イオン発生装置の電源オンと電源オフとを切り替えるための操作部を前記送風部に設けたことを特徴とする請求項１〜請求項３のいずれか１項に記載の空調機。
【請求項５】
前記送風ファン及び前記イオン発生装置の動作状態を表示するための表示部を前記送風部の前記吹出口を有する吹出面の反対側の箇所に設けたことを特徴とする請求項１〜請求項４のいずれか１項に記載の空調機。
【請求項６】
前記送風部の前記吹出口を有する吹出面に前記吹出口に近接させて設けられて前記吹出口からの空気吹出方向と同一方向に光を照射する光源を備えることを特徴とする請求項１〜請求項５のいずれか１項に記載の空調機。
【請求項７】
前記光源が前記吹出口より前記アーム部に近い側に配置されていることを特徴とする請求項６に記載の空調機。
【請求項８】
電源プラグと、電池とを備えるとともに、
前記送風ファン及び前記イオン発生装置が前記電源プラグのみに電気的に接続され、前記光源が前記電源プラグ及び前記電池に電気的に接続されることを特徴とする請求項６または請求項７に記載の空調機。
【発明の詳細な説明】
【技術分野】
【０００１】
本発明は、空気中に放電によりイオンを放出するイオン発生装置と送風ファンとを備えた空調機に関する。
【背景技術】
【０００２】
近年、空気中に放電によりイオンを放出するイオン発生装置と送風ファンとを備えた空調機が広く普及し、それに係る従来技術が特許文献１及び２に開示されている。
【０００３】
特許文献１に記載されたイオン発生装置は例えば床面上に設置され、イオン発生器と送風機とを用いて本体ケース上面に設けられた吹出口から空気とともにイオンを室内に放出している。これにより、室内全体にイオンが行き渡るようにすることが可能である。
【０００４】
特許文献２に記載された携帯型送風装置は例えば卓上に設置され、特許文献１同様、イオン発生装置と送風ファンとを用いて本体である筐体上面に設けられた吹出口から空気とともにイオンを放出している。この携帯型送風装置は支持部である蓋部が筐体に対して角度変更できるので、卓上に設置する際に吹出口を斜め上方に向けることが可能である。これにより、限定した領域、例えば人が存在する領域に対してイオンを放出することが可能である。
【先行技術文献】
【特許文献】
【０００５】
【特許文献１】特許４５７５５１１号公報
【特許文献２】特許４６２５８７７号公報
【発明の概要】
【発明が解決しようとする課題】
【０００６】
しかしながら、上記従来のイオン発生装置や携帯型送風装置といった空調機はいずれも空気通路内の送風ファンに対して空気流通方向下流側の空気中に放電によりイオンを放出している。すなわち、空気の吹出口に比較的近い位置でイオンを放出するための放電が行われている。これにより、放電する際に発生する音が使用者に聞こえ易くなり、使用者が不快感を覚える可能性が高くなるという問題があった。
【０００７】
本発明は、上記の点に鑑みなされたものであり、イオンを放出するために放電する際に発生する音を使用者に聞こえ難くして、使用者が不快感を覚えることを抑制することが可能な空調機を提供することを目的とする。
【課題を解決するための手段】
【０００８】
上記の課題を解決するため、本発明の空調機は、吸込口と吹出口とが設けられた筐体を有する送風部と、前記送風部内に設けられて前記吸込口と前記吹出口とを連結する空気通路と、前記空気通路内に設けられて前記吸込口から前記吹出口に向かって空気を流通させる送風ファンと、前記空気通路に隣接させて設けられて前記空気通路内の前記送風ファンに対して空気流通方向上流側の空気中に放電によりイオンを放出するイオン発生装置と、を備えることを特徴としている。
【０００９】
この構成によれば、空調機のイオン発生箇所は空気の吹出口に対して送風ファンを隔てた向こう側に存在する。そして、イオンを放出するために放電する際に発生する音は開口が比較的小さくなった送風ファンの箇所を通過して吹出口に至るので、その音の大きさが小さくなる。
【００１０】
また、上記構成の空調機において、前記送風部が一端に設けられたアーム部と、前記アーム部の他端に設けられて前記送風部及び前記アーム部を起立状態にして支持する支持部と、を備えることを特徴としている。
【００１１】
この構成によれば、イオンを多く含む空気を直接浴びたいといった使用者の所望により例えば顔などに送風部が接近する。しかしながら、送風機は前述のように放電時の音の大きさを小さくさせることにより、送風部２が顔に接近する場合であってもその音を使用者に聞こえ難くさせる。
【００１２】
また、上記構成の空調機において、前記アーム部の前記支持部側の一端と前記支持部との接続及び接続解除を可能にするための接続部を備えるとともに、前記支持部として、空調機を設置面上に置いて支持するための平面支持部と、板状部材を挟持することにより前記板状部材に空調機を固定して支持するための締付け支持部とのいずれか一方が選択されて前記接続部を介して前記アーム部の前記支持部側の一端と接続されることを特徴としている。
【００１３】
この構成によれば、空調機が平面支持部を用いることで例えば机やテーブルの上に設置され、締付け支持部を用いることで例えばベッドフレームに固定される。
【００１４】
また、上記構成の空調機において、前記送風ファン及び前記イオン発生装置の電源オンと電源オフとを切り替えるための操作部を前記送風部に設けたことを特徴としている。
【００１５】
この構成によれば、イオンを多く含む空気を直接浴びようとすると送風部が使用者の身体に接近するので、操作部も使用者に接近することになる。したがって、使用者は空調機を操作し易くなる。
【００１６】
また、上記構成の空調機において、前記送風ファン及び前記イオン発生装置の動作状態を表示するための表示部を前記送風部の前記吹出口を有する吹出面の反対側の箇所に設けたことを特徴としている。
【００１７】
この構成によれば、例えば使用者の睡眠時に空調機のイオン放出運転を行っている場合、表示部に設けた例えばランプ類の明かりが使用者のほうに向かない。したがって、使用者の睡眠時の不快感が低減する。
【００１８】
また、上記構成の空調機において、前記送風部の前記吹出口を有する吹出面に前記吹出口に近接させて設けられて前記吹出口からの空気吹出方向と同一方向に光を照射する光源を備えることを特徴としている。
【００１９】
この構成によれば、送風部の吹出面を使用者のほうに向けるとイオンを多く含む空気が使用者に向かって吹き付けられ、さらに使用者の近傍が明るくなる。
【００２０】
また、上記構成の空調機において、前記光源が前記吹出口より前記アーム部に近い側に配置されていることを特徴としている。
【００２１】
この構成によれば、空調機は支持部に近い側に光源が位置し、遠い側に空気の吹出口が位置することになる。したがって、例えばイオンを多く含む空気が使用者の顔に向かって吹き付けられるようにすると、使用者の手元が明るくなる。
【００２２】
また、上記構成の空調機において、電源プラグと、電池とを備えるとともに、前記送風ファン及び前記イオン発生装置が前記電源プラグのみに電気的に接続され、前記光源が前記電源プラグ及び前記電池に電気的に接続されることを特徴としている。
【００２３】
この構成によれば、電源プラグ、すなわち商用交流電源から供給される電力に停電が起こったとき、光源に対しては電池から電力が供給される。したがって、空調機は停電時に光源による照明が使用できる。
【発明の効果】
【００２４】
本発明の構成によれば、イオンを放出するために放電する際に発生する音は開口が比較的小さくなった送風ファンの箇所を通過して吹出口に至るので、その音の大きさが小さくなり、使用者に聞こえ難くなる。したがって、放電時の音に関して使用者が不快感を覚えることを抑制することが可能な空調機を提供することができる。
【図面の簡単な説明】
【００２５】
【図１】本発明の実施形態に係る空調機の側面図である。
【図２】図１に示す空調機の送風部の正面図である。
【図３】図１に示す空調機の送風部の垂直断面側面図である。
【図４】図１に示す空調機の平面支持部の垂直断面側面図である。
【図５】図１に示す空調機の締付け支持部の側面図である。
【図６】図５と同様の空調機の締付け支持部の側面図にして、図５とは異なる方向で支持する状態を示すものである。
【発明を実施するための形態】
【００２６】
以下、本発明の実施形態に係る空調機を図１〜図６に基づき説明する。
【００２７】
最初に、本発明の実施形態に係る空調機について、図１及び図２を用いてその構造の概略を説明する。図１は空調機の側面図、図２は空調機の送風部の正面図である。
【００２８】
空調機１は、図１に示すように本体である送風部２、アーム部３及び支持部４を備えている。
【００２９】
送風部２は吸込口５と吹出口６とが設けられた筐体２ａを有している。筐体２ａ内の吸込口５側にはイオン発生装置７が配置され、吹出口６側には送風ファン８が配置されている。また、図２に示すように、送風部２の吹出口６を有する吹出面２ｂには光源９が配置されている。図１に示すように、筐体２ａ内の送風ファン８が設けられた箇所のアーム部３側にはイオン発生装置７や送風ファン８、光源９を制御するための回路基板１０が設けられている。
【００３０】
アーム部３は中空の可撓性の部材であり、その一端に送風部２が設けられている。アーム部３の内部は送風部２の筐体２ａの内部に連通し、回路基板１０から延びる電源コード１１がその内部に通っている。なお、電源コード１１はアーム部３の他端側で外部に露出し、その先端にＡＣアダプター１２及び電源プラグ１３が設けられている。空調機１は電源プラグ１３及びＡＣアダプター１２を介して商用交流電源から電力の供給を受け、駆動する。
【００３１】
支持部４はアーム部３の送風部２が設けられた一端とは反対側の端部に設けられている。支持部４は例えば空調機１を机上に置くなどする際に送風部２及びアーム部３を起立状態にして支持する。なお、前述の電源コード１１はこの支持部４の箇所で外部に露出している。
【００３２】
続いて、空調機１の送風部２の詳細な構成について、図１及び図２に加えて図３を用いて説明する。図３は送風部２の垂直断面側面図である。なお、図３に描画した白抜き矢印は空気の流通方向を示し、実線矢印はイオンの放出方向を示している。
【００３３】
図２及び図３に示すように、吸込口５は送風部２の背面側に設けられ、吹出口６は送風部２の正面側に設けられ、各々筐体２ａの内部と外部とを連通させる複数の小孔を備えている。さらに、筐体２ａ内には吸込口５と吹出口６とを連結する円筒形状の空気通路１４が形成されている。空気通路１４の吸込口５のすぐ内側には塵埃を捕集するためのエアフィルター１５が配置されている。
【００３４】
送風ファン８は軸流ファンで構成され、空気通路１４内に設けられている。送風ファン８はそのハウジングの軸線方向に開口する吸気口（図示せず）が吸込口５に対向して配置され、吸気口に対して軸線方向の反対側で開口する排気口（図示せず）が吹出口６に対向して配置されている。これにより、送風ファン８を駆動させると、図３に白抜き矢印で示したように、空調機１は吸込口５から吸い込んだ外部の空気を空気通路１４内に流通させて吹出口６から送風部２の正面側に向かって吹き出す。
【００３５】
イオン発生装置７は空気通路１４に隣接させて送風ファン８に対して空気流通方向上流側に配置されている。イオン発生装置７はイオンを放出するための放電に用いる電極やその他電子部品がハウジング内に収容されてパッケージ化されている。そして、イオン発生装置７は空気通路１４に隣接させて形成された収納部（図示せず）に対して着脱可能にして収納される。イオン発生装置７は空気通路１４に臨む複数の電極を有し、図３に実線矢印で示したように、空気通路１４内を流通する空気に対して電極で放電により発生させたイオンを含ませるように放出する。
【００３６】
イオン発生装置７の電極には交流波形またはインパルス波形から成る電圧が印加される。電極の印加電圧が正電圧の場合はイオンが空気中の水分と結合して主としてＨ＋（Ｈ２Ｏ）ｍから成るプラスイオンを発生する。電極の印加電圧が負電圧の場合はイオンが空気中の水分と結合して主としてＯ２−（Ｈ２Ｏ）ｎから成るマイナスイオンを発生する。ここで、ｍ、ｎは任意の自然数である。Ｈ＋（Ｈ２Ｏ）ｍ及びＯ２−（Ｈ２Ｏ）ｎは空気中の浮遊菌や臭い成分の表面で凝集してこれらを取り囲む。
【００３７】
そして、式（１）〜（３）に示すように、衝突により活性種である［・ＯＨ］（水酸基ラジカル）やＨ２Ｏ２（過酸化水素）を微生物等の表面上で凝集生成して浮遊菌や臭い成分を破壊する。ここで、ｍ’、ｎ’は任意の自然数である。したがって、プラスイオン及びマイナスイオンを発生して吹出口６から吹き出すことにより使用者の近傍の殺菌及び臭い除去を行うことができる。
【００３８】
Ｈ＋(Ｈ２Ｏ)ｍ＋Ｏ２−(Ｈ２Ｏ)ｎ→・ＯＨ＋1/2Ｏ２＋(ｍ＋ｎ)Ｈ２Ｏ  ・・・（１）
Ｈ＋(Ｈ２Ｏ)ｍ＋Ｈ＋(Ｈ２Ｏ)ｍ’＋Ｏ２−(Ｈ２Ｏ)ｎ＋Ｏ２−(Ｈ２Ｏ)ｎ’
→ 2・ＯＨ＋Ｏ２＋(ｍ＋ｍ'＋ｎ＋ｎ')Ｈ２Ｏ ・・・（２）
Ｈ＋(Ｈ２Ｏ)ｍ＋Ｈ＋(Ｈ２Ｏ)ｍ’＋Ｏ２−(Ｈ２Ｏ)ｎ＋Ｏ２−(Ｈ２Ｏ)ｎ’
→ Ｈ２Ｏ２＋Ｏ２＋(ｍ＋ｍ'＋ｎ＋ｎ')Ｈ２Ｏ ・・・（３）
【００３９】
なお、本実施形態ではイオン発生装置７によってプラスイオン及びマイナスイオンを発生しているが、マイナスイオンのみを発生しても良い。
【００４０】
また、本発明において、イオンには帯電微粒子水も含むものとする。このとき、イオン発生装置７は静電霧化装置からなり、静電霧化装置によってラジカル成分を含む帯電微粒子水が生成される。すなわち、静電霧化装置に設けた放電電極をペルチェ素子により冷却することで放電電極の表面に結露水が生じる。次に、放電電極にマイナスの高電圧を印加すると、結露水から帯電微粒子水が生成される。また、放電電極からは帯電微粒子水とともに空気中に放出されるマイナスイオンも発生する。
【００４１】
回路基板１０は空調機１の制御回路を実装している。送風部２の正面側の回路基板１０表面には光源９と操作部１６とが設けられている。光源９と操作部１６とはともに送風部２の吹出面２ｂに配置されている。送風部２の背面側の回路基板１０表面には表示部１７が設けられている。
【００４２】
光源９は、図２に示すように例えば３個のＬＥＤ９ａを備え、吹出口６に近接させて吹出面２ｂに設けられている。そして、光源９は吹出口６からの空気吹出方向と同一方向に光を照射する。
【００４３】
操作部１６は、図２に示すように例えばスライドスイッチ１６ａを備え、吹出面２ｂの光源９に対してアーム部３側の箇所に設けられている。操作部１６においてスライドスイッチ１６ａをスライド操作することで「切」による電源オフ状態、「イオン」によるイオン放出動作状態、「イオン＋照明」によるイオン放出と照明オンの動作状態のいずれかを選択することができる。
【００４４】
表示部１７は、図３に示すように例えば３個のＬＥＤ１７ａを備え、送風部２の背面側であって光源９や操作部１６の配置箇所の反対側の箇所に設けられている。３個のＬＥＤ１７ａは各々点灯することで送風ファン８、イオン発生装置７及び光源９それぞれの動作状態、すなわち電源ＯＮの状態を表示している。
【００４５】
また、回路基板１０には例えばボタン型電池で構成される電池１８が設けられている。この電池１８には光源９が電気的に接続されている。すなわち、操作部１６や図示しない制御回路などを介して、送風ファン８及びイオン発生装置７は電源プラグ１３のみに電気的に接続され、光源９は電源プラグ１３及び電池１８に電気的に接続されている。
【００４６】
続いて、空調機１の支持部４の詳細な構成について、図１に加えて図４〜図６を用いて説明する。図４は空調機１の平面支持部の垂直断面側面図、図５は空調機１の締付け支持部の側面図、図６は図５と同様の締付け支持部の側面図にして、図５とは異なる方向で支持する状態を示すものである。
【００４７】
空調機１の支持部４は図１及び図４に示す平面支持部１９と、図５及び図６に示す締付け支持部２０とのいずれか一方を選択して用いることができる。平面支持部１９は空調機１を例えば机上などの設置面上において支持するためのものである。締付け支持部２０はクランプ部２０ａで板状部材１００を挟持することにより板状部材１００に空調機１を固定して支持するためのものである。なお、以下の説明では特に限定する必要がある場合を除き、平面支持部１９及び締付け支持部２０をまとめて支持部４と称して説明することがある。
【００４８】
これに関して、図４に示すように空調機１はアーム部３の支持部４側の一端と支持部４との接続及び接続解除を可能にするための接続部２１を備えている。接続部２１はアーム部３の支持部４側の一端に形成された接続ブロック部２２と、支持部４に設けられて接続ブロック部２２を受ける凹部２３とを備えている。凹部２３は接続ブロック部２２を受け入れ可能な形状、大きさをなしている。
【００４９】
接続ブロック部２２の左右の外側面には弾性変形により横方向、すなわちアーム部３の軸線に対して接近或いは離隔する方向に変位可能な爪部２４が設けられている。一方、凹部２３の左右の内側面には爪部２４と係合する係止部２５が設けられている。爪部２４と係止部２５とは所謂スナップフィット構造で互いが係合する。
【００５０】
アーム部３を支持部４に接続させるとき、接続ブロック部２２の爪部２４の箇所を指でつまんで、爪部２４をアーム部３の軸線側に接近させるように弾性力に抗して変位させながら接続ブロック部２２を凹部２３に挿入させる。爪部２４は係止部２５の箇所に到達すると元の形状に戻るようにして外側に広がり、爪部２４と係止部２５とが係合する。これにより、アーム部３と支持部４とは互いの接続状態において爪部２４を変位させながら接続ブロック部２２を凹部２３から引き抜かない限り接続が解除されることはない。以上、図４を用いて接続部２１の構造を説明したが、平面支持部１９及び締付け支持部２０のいずれも同様の構造を有してアーム部３と接続する。
【００５１】
また、図５に示す締付け支持部２０は凹部２３を２箇所に備えている。例えば、図５に示すように机やテーブルなどのほぼ水平をなす板状部材１００に空調機１をクランプ部２０ａで固定する場合、第１係止部２５ａを有する第１凹部２３ａにアーム部３を接続することができる。一方、図６に示すようにベッドフレームなどのほぼ垂直をなす板状部材１００に空調機１をクランプ部２０ａで固定する場合、第２係止部２５ｂを有する第２凹部２３ｂにアーム部３を接続することができる。
【００５２】
上記のように、空調機１は空気通路１４内の送風ファン８に対して空気流通方向上流側の空気中に放電によりイオンを放出するイオン発生装置７を備えているので、イオン発生箇所が空気の吹出口６に対して送風ファン８を隔てた向こう側に存在することになる。そして、イオンを放出するために放電する際に発生する音は開口が比較的小さくなった送風ファン８の箇所を通過して吹出口６に至る。したがって、空調機１は放電時の音の大きさを小さくさせ、使用者に聞こえ難くすることができる。
【００５３】
また、空調機１は送風部２及びアーム部３を起立状態にして支持する支持部４を備えているので、イオンを多く含む空気を直接浴びたいといった使用者の所望により例えば顔などに送風部２が接近することがある。しかしながら、空調機１は上述のように放電時の音の大きさを小さくさせることにより、送風部２が顔に接近する場合であってもその音を使用者に聞こえ難くさせることができる。また、吹出口６を使用者の顔等に接近して配置できるため、送風ファン８の風量を小さくすることができる。したがって、送風ファン８の羽根との衝突によるイオンの消失を抑制することができる。
【００５４】
そして、空調機１は送風部２の吹出面２ｂに吹出口６に近接させて設けられて吹出口６からの空気吹出方向と同一方向に光を照射する光源９を備えている。さらに、空調機１は光源９が吹出口６よりアーム部３に近い側に配置されている。これらにより、送風部２の吹出面２ｂを使用者のほうに向けるとイオンを多く含む空気が使用者の顔に向かって吹き付けられ、さらに使用者の近傍や手元が明るくなる。したがって、例えば読書をしたり、細かい手作業をしたりする際に手元を明るくしながらイオンを多く含む空気を浴びることが可能である。
【００５５】
また、空調機１はアーム部３の支持部４側の一端と支持部４との接続及び接続解除を可能にするための接続部２１を備えている。さらに、空調機１は支持部４として、空調機１を設置面上に置いて支持するための平面支持部１９と、板状部材１００を挟持することにより板状部材１００に空調機１を固定して支持するための締付け支持部２０とのいずれか一方が選択されて接続部２１を介してアーム部３の支持部４側の一端と接続される。これにより、空調機１は机やテーブルなどの上に設置したり、ベッドフレームなどに固定したりすることができ、様々な場所で使用することが可能である。
【００５６】
さらに、操作部１６を送風部２に備えることにより、イオンを多く含む空気を直接浴びようとすると送風部２が使用者の身体に接近して、操作部１６も使用者に接近することになる。したがって、空調機１は使用者が操作し易くさせることができる。
【００５７】
また、空調機１は表示部１７が送風部２の吹出面２ｂの反対側の箇所に設けられているので、例えば使用者の睡眠時に空調機１のイオン放出運転を行っている場合、表示部１７に設けたＬＥＤ１７ａの明かりが使用者のほうに向かない。したがって、使用者の睡眠時の不快感を低減させることが可能である。
【００５８】
また、空調機１は送風ファン８及びイオン発生装置７が電源プラグ１３のみに電気的に接続され、光源９が電源プラグ１３及び電池１８に電気的に接続されている。これにより、電源プラグ１３、すなわち商用交流電源から供給される電力に停電が起こったとき、光源９に対しては電池１８から電力が供給される。したがって、空調機１は停電時に光源９による照明が使用できる。
【００５９】
そして、本発明の上記実施形態の構成によれば、イオンを放出するために放電する際に発生する音は開口が比較的小さくなった送風ファン８の箇所を通過して吹出口６に至るので、その音の大きさが小さくなり、使用者に聞こえ難くなる。したがって、放電時の音に関して使用者が不快感を覚えることを抑制することが可能な空調機１を提供することができる。
【００６０】
以上、本発明の実施形態につき説明したが、本発明の範囲はこれに限定されるものではなく、発明の主旨を逸脱しない範囲で種々の変更を加えて実施することができる。
【産業上の利用可能性】
【００６１】
本発明は、送風ファンとイオン発生装置とを備えた空調機において利用可能である。
【符号の説明】
【００６２】
１    空調機
２    送風部
２ａ    筐体
２ｂ    吹出面
３    アーム部
４    支持部
５    吸込口
６    吹出口
７    イオン発生装置
８    送風ファン
９    光源
１３    電源プラグ
１４    空気通路
１６    操作部
１７    表示部
１８    電池
１９    平面支持部（支持部）
２０    締付け支持部（支持部）
２１    接続部
【図１】
2013037835.tif 000003
【図２】
2013037835.tif 000004
【図３】
2013037835.tif 000005
【図４】
2013037835.tif 000006
【図５】
2013037835.tif 000007
【図６】
2013037835.tif 000008